(57)【要約】【課題】一方の基板の張出部に搭載されたドライバの光による誤動作を防ぐことができるドライバ搭載型の液晶表示素子を提供する。【解決手段】一方の基板３の張出部３ａのドライバ搭載面とは反対面に、ドライバ１０の搭載領域に対応させて外面遮光膜８を設けるとともに、前記一方の基板３の外周面に周面遮光膜９を設けた。【選択図】図１
2005189430.tif 000002
【特許請求の範囲】
【請求項１】
液晶層を挟んで対向し、対向する内面それぞれに電極が設けられた一対の透明基板の一方の縁部に、一方の面に前記電極間に表示駆動電圧を印加する駆動回路が形成され、その面上に複数の端子電極が配列形成された半導体集積回路素子からなるドライバを搭載するための張出部が形成され、この張出部のドライバ搭載面に、前記端子電極の形成面を前記ドライバ搭載面に対向させて前記ドライバ搭載面上に搭載される前記ドライバの複数の端子電極にそれぞれ接続される複数のドライバ接続配線が形成されるとともに、前記張出部の前記ドライバ搭載面とは反対面の少なくとも前記ドライバの搭載領域に対応する部分と、前記一方の基板の外周面の少なくとも前記張出部の周囲部分とにそれぞれ遮光膜が設けられていることを特徴とする液晶表示素子。
【請求項２】
一方の基板の外周面の遮光膜は、前記基板の全周にわたって設けられていることを特徴とする請求項１に記載の液晶表示素子。
【請求項３】
一方の基板の外周面の遮光膜は、遮光性塗料の塗布膜からなっていることを特徴とする請求項１または２に記載の液晶表示素子。
【発明の詳細な説明】
【技術分野】
【０００１】
この発明は、ドライバ搭載型の液晶表示素子に関する。
【背景技術】
【０００２】
ドライバ搭載型の液晶表示素子は、液晶層を挟んで対向し、対向する内面それぞれに電極が設けられた一対の透明基板の一方の縁部に、ドライバを搭載するための張出部を形成し、この張出部のドライバ搭載面（他方の基板と対向する側の面）に、前記ドライバの複数の端子電極にそれぞれ接続される複数のドライバ接続配線を形成した構成となっている（特許文献１、２参照）。
【特許文献１】特開平７−２６１１９１号公報
【特許文献２】特開平８−  ７６０９６号公報
【発明の開示】
【発明が解決しようとする課題】
【０００３】
ところで、前記液晶表示素子の張出部に搭載されるドライバは、一方の面に前記液晶表示素子の電極間に表示駆動電圧を印加する駆動回路が形成され、その面上に複数の端子電極が配列形成されたＬＳＩ等の半導体集積回路素子からなっており、前記端子電極の形成面を前記張出部のドライバ搭載面に対向させ、前記複数の端子電極を前記複数のドライバ接続配線にそれぞれ接続されて前記ドライバ搭載面上に搭載される。
【０００４】
しかし、従来のドライバ搭載型の液晶表示素子は、一方の基板の張出部に搭載されたドライバにその端子電極形成面から光が入射し、前記ドライバに光による誤動作を生じさせてしまうおそれがある。
【０００５】
この発明は、一方の基板の張出部に搭載されたドライバの光による誤動作を防ぐことができるドライバ搭載型の液晶表示素子を提供することを目的としたものである。
【課題を解決するための手段】
【０００６】
この発明の液晶表示素子は、液晶層を挟んで対向し、対向する内面それぞれに電極が設けられた一対の透明基板の一方の縁部に、一方の面に前記電極間に表示駆動電圧を印加する駆動回路が形成され、その面上に複数の端子電極が配列形成された半導体集積回路素子からなるドライバを搭載するための張出部が形成され、この張出部のドライバ搭載面に、前記端子電極の形成面を前記ドライバ搭載面に対向させて前記ドライバ搭載面上に搭載される前記ドライバの複数の端子電極にそれぞれ接続される複数のドライバ接続配線が形成されるとともに、前記張出部の前記ドライバ搭載面とは反対面の少なくとも前記ドライバの搭載領域に対応する部分と、前記一方の基板の外周面の少なくとも前記張出部の周囲部分とにそれぞれ遮光膜が設けられていることを特徴とする。
【０００７】
この液晶表示素子において、前記一方の基板の外周面の遮光膜は、前記基板の全周にわたって設けるのが望ましい。
【０００８】
また、前記一方の基板の外周面の遮光膜は、遮光性塗料の塗布膜により形成するのが好ましい。
【発明の効果】
【０００９】
この発明の液晶表示素子は、一方の基板の張出部のドライバ搭載面とは反対面の少なくともドライバ搭載領域に対応する部分と、前記一方の基板の外周面の少なくとも前記張出部の周囲部分とにそれぞれ遮光膜を設けているため、前記張出部の前記ドライバ搭載領域に対応する部分に前記ドライバ搭載面とは反対面から光が入射し、その光が前記張出部を透過して前記ドライバ搭載面に搭載されたドライバにその端子電極形成面から入射することは無く、また、前記張出部の周囲から光が入射し、その光が前記張出部のドライバ搭載面から出射して前記ドライバの端子電極形成面に入射することも無い。
【００１０】
そのため、この液晶表示素子によれば、前記一方の基板の張出部に搭載されたドライバの光による誤動作を防ぐことができ、したがって、前記ドライバに、表示にちらつき等を生じさせることの無い良好な表示駆動を行なわせることができる。
【００１１】
この液晶表示素子において、前記一方の基板の外周面の遮光膜は、前記基板の全周にわたって設けるのが望ましく、このようにすることにより、前記一方の基板の周囲からの光の入射を基板全周にわたって無くし、前記ドライバの光による誤動作をさらに確実に防ぐことができる。
【００１２】
また、前記一方の基板の外周面の遮光膜は、遮光性塗料の塗布膜により形成するのが好ましく、このようにすることにより、前記外周面の遮光膜を容易に、しかも液晶表示素子の外形サイズを変化させずに形成することができる。
【発明を実施するための最良の形態】
【００１３】
図１及び図２はこの発明の一実施例を示しており、図１は液晶表示素子のドライバ搭載状態の斜視図、図２前記液晶表示素子のドライバ搭載部分の断面図である。
【００１４】
この液晶表示素子１は、枠状のシール材５を介して接合され、前記シール材５により囲まれた領域に設けられた液晶層２を挟んで対向するとともに、対向する内面それぞれに、互いに対向する領域によりマトリックス状に配列する複数の画素を形成する透明電極（図示せず）が設けられた一対の透明基板３，４のうち、一方の基板（図において下側の基板）３の一側縁部に、ドライバ１０を搭載するための張出部３ａを形成したものであり、この張出部３ａのドライバ搭載面、つまり他方の基板（図において上側の基板）４と対向する側の面に、前記ドライバ１０の複数の出力側端子電極１１ａ及び複数の入力側端子電極１１ｂにそれぞれ接続される複数のドライバ接続配線６，７が形成されている。
【００１５】
この液晶表示素子１は、例えば、前記一方の基板３の内面に、行方向及び列方向にマトリックス状に配列する複数の画素電極と、これらの画素電極にそれぞれ接続された複数のＴＦＴ（薄膜トランジスタ）と、各行のＴＦＴにそれぞれゲート信号を供給する複数のゲート配線と、各列のＴＦＴにそれぞれデータ信号を供給する複数のデータ配線とが設けられ、他方の基板４の内面に、前記複数の画素電極に対向する一枚膜状の対向電極が設けられたアクティブマトリックス液晶表示素子であり、前記複数のドライバ接続配線６，７のうち、前記ドライバ１０の複数の出力側端子電極１１ａに接続される複数の配線６は、前記複数のゲート配線及びデータ配線と、前記シール材５による基板接合部に設けられて前記対向電極の端部に接続されたクロス電極とからそれぞれ前記ドライバ搭載面の予め定められたドライバ搭載領域に導出形成されている。
【００１６】
また、前記ドライバ１０の複数の入力側端子電極１１ｂに接続される複数の配線７は、図示しない外部回路からのドライバ制御信号を前記ドライバ１０に供給するフレキシブル配線フィルム１２との接続配線であり、これらの配線７は、前記ドライバ搭載領域から前記張出部３ａの端縁の配線フィルム接続部に導出形成されている。
【００１７】
前記ドライバ１０は、その構造は図示しないが、一方の面に前記電極間に表示駆動電圧を印加する駆動回路が形成され、その面上に前記複数の出力側端子電極１１ａ及び複数の入力側端子電極１１ｂが配列形成されたＬＳＩ等の半導体集積回路素子からなっており、前記複数の出力側端子電極１１ａは、前記ドライバ１０の一側縁及び両端縁に沿わせて配列され、前記複数の入力側端子電極１１ｂは、前記ドライバ１０の他側縁に沿わせて配列されている。
【００１８】
前記ドライバ１０の複数の出力側端子電極１１ａ及び入力側端子電極１１ｂはそれぞれ、半田等の低融点金属からなっており、前記ドライバ１０は、前記端子電極１１ａ，１１ｂの形成面を前記張出部３ａのドライバ搭載面に対向させ、前記複数の端子電極１１ａ，１１ｂを前記複数のドライバ接続配線６，７の端部にそれぞれダイレクトボンディングにより接続されて前記ドライバ搭載面上に搭載される。
【００１９】
なお、前記ドライバ１０は、前記複数の出力側端子電極１１ａ及び入力側端子電極１１ｂが高融点金属からなっており、前記ドライバ搭載面上に、導電性粒子を分散させた熱可塑性樹脂からなる異方導電性接着剤により接着されて搭載されるものでもよい。
【００２０】
また、前記フレキシブル配線フィルム１２は、樹脂フィルム１３の一方の面に複数の配線１４を形成し、その上に異方導電性接着剤(図示せず)を塗布したヒートシール型のものであり、この配線フィルム１２は、その端部を前記張出部３ａの配線フィルム接続部の上に、前記複数の配線１４を前記複数のドライバ接続配線７の導出端にそれぞれ対向させて重ねられ、前記異方導電性接着剤を介して前記配線フィルム接続部に接続される。
【００２１】
そして、前記ドライバ１０の搭載部及び前記配線フィルム１２の接続部は、図２に仮想線（二点鎖線）で示したように保護樹脂１５により覆われる。
【００２２】
また、この液晶表示素子１は、例えば、前記液晶層２の液晶分子を一対の基板３，４間において実質的に９０度のツイスト角でツイスト配向させたＴＮ（ツイステッドネマティック）型のものであり、図では省略しているが、前記一対の基板３，４の外面にそれぞれ偏光板が配置されている。
【００２３】
そして、この液晶表示素子１の一方の基板３の張出部３ａの前記ドライバ搭載面とは反対面、つまり基板外面には、前記ドライバ１０の搭載領域に対応する部分に、前記ドライバ１０の平面積よりも充分に大きい面積を有する外面遮光膜８が設けられており、さらに、前記一方の基板３の外周面に、その全周にわたって周面遮光膜９が設けられている。
【００２４】
前記外面遮光膜８は、例えば黒色の樹脂フィルムの一面に粘着剤を塗布した遮光性粘着テープからなっており、前記基板外面に貼付けられている。
【００２５】
また、前記周面遮光膜９は、黒色塗料等の遮光性塗料の塗布膜からなっており、ローラ塗装等によって前記一方の基板３の外周面の全周に塗布されている。
【００２６】
なお、この周面遮光膜９は、前記ローラ塗装等によって前記一方の基板３の外周面に塗布されるため、他方の基板４の外周面にも、前記一方の基板３の張出部３ａに対応する面を除いて被着している。
【００２７】
この液晶表示素子１は、一方の基板３の張出部３ａの外面（ドライバ搭載面とは反対面）のドライバ搭載領域に対応する部分に外面遮光膜８を設けているため、前記張出部３ａの前記ドライバ搭載領域に対応する部分に前記張出部３ａの外面から光が入射し、その光が前記張出部３ａを透過して前記ドライバ搭載面に搭載されたドライバ１０にその端子電極形成面から入射することは無い。
【００２８】
さらに、この液晶表示素子１は、前記一方の基板３の外周面にも周面遮光膜９を設けているため、この一方の基板３の張出部３ａの周囲から光が入射し、その光が前記張出部３ａのドライバ搭載面から出射して前記ドライバ１０の端子電極形成面に入射することも無い。
【００２９】
すなわち、前記液晶表示素子１には、一対の基板３，４の外面側からだけでなく、周囲からも外光が入射するため、前記周面遮光膜９が無い場合は、前記基板３，４にその周面から入射した光のうち、基板面に平行に入射した光は反対側の周面から外部に出射するが、前記基板面に対して傾いた方向から入射した光が、前記基板３，４の内面及び外面で内面反射しながら基板内を導かれる過程で基板内面及び外面から出射し、その光のうち、前記一方の基板３の張出部３ａのドライバ搭載面のドライバ搭載領域から出射した光が前記ドライバ１０の端子電極形成面に入射して、前記ドライバ１０に光による誤動作を生じさせることがある。
【００３０】
しかし、前記液晶表示素子１は、前記一方の基板３の外周面に前記周面遮光膜９を設けているため、前記周囲からの入射光を前記周面遮光膜９により遮ることができる。
【００３１】
そのため、この液晶表示素子１によれば、前記一方の基板３の張出部３ａに搭載されたドライバ１０の光による誤動作を防ぐことができ、したがって、前記ドライバ１０に、表示にちらつき等を生じさせることの無い良好な表示駆動を行なわせることができる。
【００３２】
上記実施例の液晶表示素子１は、前記一方の基板３の外周面の周面遮光膜９を、前記一方の基板３の全周にわたって設けているため、前記一方の基板の周囲からの光の入射を基板全周にわたって無くし、前記ドライバの光による誤動作をさらに確実に防ぐことができる。
【００３３】
また、上記実施例では、前記一方の基板３の外周面の周面遮光膜９を、遮光性塗料の塗布膜により形成しているため、この周面遮光膜９を、上述したローラ塗装等によって容易に形成することができる。
【００３４】
しかも、前記遮光性塗料の塗布膜の膜厚は１０μｍ程度であり、その膜厚は前記一対の基板３，４の外形サイズの許容誤差（通常は約０．２ｍｍ）に比べてはるかに薄いため、前記周面遮光膜９を、液晶表示素子１の外形サイズを変化させることなく形成することができる。
【００３５】
なお、上記実施例では、一方の基板３の張出部３ａの外面（ドライバ搭載面とは反対面）の遮光膜８を遮光性粘着テープにより形成しているが、この外面遮光膜８は、例えば遮光性塗料を塗布して形成してもよく、その場合は、前記外面遮光膜８を張出部３ａの全体にわたって形成してもよい。
【００３６】
また、上記実施例では、前記一方の基板３の外周面の周面遮光膜９を、遮光性塗料の塗布膜により形成しているが、この周面遮光膜９は、遮光性粘着テープを貼付けて形成してもよい。
【００３７】
さらに、上記実施例では、前記周面遮光膜９を一方の基板３の外周面にその全周にわたって形成しているが、この周面遮光膜９は、前記一方の基板３の外周面のうち、前記張出部３ａの周囲部分だけに形成してもよい。
【００３８】
また、上記実施例の液晶表示素子１は、一方の基板３の一側縁部に、ドライバ１０を搭載するための張出部３ａを形成したものであるが、この発明は、前記一方の基板３の一側縁部と一端縁部とにそれぞれドライバ搭載用の張出部を形成した液晶表示素子にも適用することができ、また、アクティブマトリックス型液晶表示素子に限らず、単純マトリックス型液晶表示素子にも適用することができる。
【図面の簡単な説明】
【００３９】
【図１】この発明の一実施例を示す液晶表示素子のドライバ搭載状態の斜視図。
【図２】液晶表示素子のドライバ搭載部分の断面図。
【符号の説明】
【００４０】
１…液晶表示素子、２…液晶層、３，４…基板、３ａ…張出部、５…シール材、６，７…ドライバ接続配線、８…外面遮光膜、９…周面遮光膜、１０…ドライバ、１１ａ，１２ｂ…端子電極、１２…フレキシブル配線フィルム。
【図１】
2005189430.tif 000003
【図２】
2005189430.tif 000004